(57)【要約】      （修正有）【課題】長時間にわたるワックス成形作業をしていても指が疲れることなく、指先に力を入れるようなワックス成形作業であっても、指先が痛くなることもない歯科用スパチュラを把持する歯科用スパチュラハンドルを提供する。【解決手段】丸棒状の中実軸部５６の両端に第１のへら部４２ａと第２のへら部４２ｂが接続されている歯科用スパチュラの中実軸部を被包する中空円筒部２０と、前記中空円筒部の両端に第１のへら部の柄と第２のへら部の柄とをそれぞれ把持する軸把持部３２ａ、３２ｂを着脱自在に嵌着または螺着する構成とし、あるいは、中間部を大径とし両端部を小径とした前記中空円筒部の両端部にラバーグリップを被嵌させて前記第１のへら部と第２のへら部により前記ラバーグリップを固定させ、前記中空円筒部の中空部に形成された収納スペースに前記第１のへら部と第２のへら部を収納できる構成とした。【選択図】図１
0003110845.tif 000002
【実用新案登録請求の範囲】
【請求項１】
へらと該へらに連接する柄からなる第１のへら部の他端および第１のへら部と同様に構成される第２のへら部の他端との間に介在するスパチュラハンドルを太径としたことを特徴とする歯科用スパチュラハンドル。
【請求項２】
前記スパチュラハンドルは中空円筒部と、前記中空円筒部の両端に着脱自在に挿着される第１の軸把持部および第２の軸把持部とからなり、
前記中空円筒部は、前記第１のへら部の他端および前記第２のへら部の他端を連結する中実軸部からなる歯科用スパチュラの前記中実軸部が挿通される挿通孔を有し、
前記第１の軸把持部および前記第２の軸把持部は、前記第１のへら部および前記第２のへら部の柄をそれぞれ把持することを特徴とする請求項１に記載の歯科用スパチュラハンドル。
【請求項３】
前記第１の軸把持部および前記第２の軸把持部には挿着孔が形成され、
前記中空円筒部の両端にはへら挿着部が形成され、
前記第１の軸把持部および前記第２の軸把持部の挿着孔に前記中空円筒部のへら挿着部が挿着されることを特徴とする請求項１または請求項２に記載の歯科用スパチュラハンドル。
【請求項４】
前記中空円筒部の両端の中空部には挿着孔が形成され、
前記第１の軸把持部および前記第２の軸把持部にはへら挿着部が形成され、
前記中空円筒部の挿着孔に前記第１の軸把持部および前記第２の軸把持部のへら挿着部が挿着されることを特徴とする請求項１または請求項２に記載の歯科用スパチュラハンドル。
【請求項５】
前記スパチュラハンドルは中空円筒部と中空円筒状のラバーグリップから構成され、
前記中空円筒部は大径の中間部とその両端に形成された小径の第１の円筒先端部と小径の第２の円筒先端部からなり、
前記中空円筒部の両端の中空部には挿着孔が形成され、
前記第１の円筒先端部および前記第２の円筒先端部には前記第１の円筒先端部および前記第２の円筒先端部の外径と略同一径の内径を有する前記ラバーグリップが嵌装され、
前記第１のへら部は同一軸上にへら、柄、鍔部およびへら挿着部の順に構成され、
前記第２のへら部も前記第１のへら部と同様に構成され、
前記中空円筒部の挿着孔に前記第１のへら部および前記第２のへら部のへら挿着部が挿着されて前記第１のへら部および前記第２のへら部の鍔部により前記ラバーグリップが前記第１の円筒先端部および前記第２の円筒先端部に固定されることを特徴とする請求項１に記載の歯科用スパチュラハンドル。
【請求項６】
前記中空円筒部の両端の中空部に形成された挿着孔の奥に位置する前記中空円筒部の中空部は収納スペースとして形成され、
前記第１のへら部は同一軸上にへら、柄、第１のへら挿着部、鍔部および第２のへら挿着部の順に構成され、
前記第２のへら部も前記第１のへら部と同様に構成され、
歯科用スパチュラとして使用するときには、前記中空円筒部の挿着孔に前記第２のへら挿着部を挿着し、
歯科用スパチュラとして使用しないときには、前記収納スペースに前記第１のへら部のへらと柄および／または第２のへら部のへらと柄を収納して前記中空円筒部の挿着孔に前記第１のへら挿着部を挿着することを特徴とする請求項１または請求項５に記載の歯科用スパチュラハンドル。
【請求項７】
前記スパチュラハンドルは中空円筒部と中空円筒状のラバーグリップと中心部に挿着孔を有するへら保持部とからなり、
前記中空円筒部は大径の中間部とその両端に形成された小径の第１の円筒先端部と小径の第２の円筒先端部からなっていて、前記第１の円筒先端部および前記第２の円筒先端部には前記第１の円筒先端部および前記第２の円筒先端部の外径と略同一径の内径を有する前記ラバーグリップが嵌装され、
前記中空円筒部の両端には前記へら保持部が前記挿着孔を外側に向けて嵌着され、
前記第１のへら部および前記第２のへら部は前記第１のへら部および前記第２のへら部を構成する柄の他端に形成されたへら挿着部により前記へら保持部の挿着孔に着脱自在に挿着され、
前記中空円筒部の中空部は前記挿着孔に連通して収納スペースとして形成され、前記中空円筒部と前記へら保持部とが着脱自在に挿着し、または前記中空円筒部自体が二分割されて着脱自在に挿着し、前記収納スペースに前記第１のへら部および／または前記第２のへら部、あるいは他のスペア用のへら部が収納されることを特徴とする請求項１に記載の歯科用スパチュラハンドル。
【考案の詳細な説明】
【技術分野】
【０００１】
本考案は、歯科用スパチュラに装着する長時間作業に適した歯科用スパチュラハンドルに関する。
【背景技術】
【０００２】
歯科用スパチュラは、歯科用合金から歯冠部や義歯床を精密鋳造法により形成する工程において、歯科技工士がワックスで歯冠部や義歯床等の鋳造用模型を成形したり、調整したりするのに使用するワックス成形用治具である。
【０００３】
この、従来から使用されている歯科用スパチュラは、図９に示すような形状を呈している。
図９は、歯科技工士が使用している歯科用スパチュラの図である。図９に示すように、歯科用スパチュラ４０は、へら４４ａとへら４４ａに一端が連接される丸棒状の柄４６ａとからなる第１のへら部４２ａと、へら４４ｂとへら４４ｂに一端が連接される丸棒状の柄４６ｂとからなる第２のへら部４２ｂと、前記第１のへら部４２ａと前記第２のへら部４２ｂとを連接する中実軸部５６とから構成されている。
【０００４】
そして、丸棒状の柄４６ａ、４６ｂは、すなわち、歯科用スパチュラ４０は、丸棒状の柄４６ａ、４６ｂと中実軸部５６から構成される軸部の中間部がやや膨らんだ形状を呈していて、軸部の両端にへら４４ａおよび４４ｂが連接されている。
この中実軸部５６の最大径は、概ね５ｍｍ〜６ｍｍ程度の小径であり、また、へらの形状も、へら状、ナイフ状、槍状、針状等のさまざまな形状のものがあり、使用用途に応じて適宜代えて使用される。図９においては、へら４４ａをナイフ状とし、へら４４ｂを鏝状としている。
【０００５】
図９は、右利きの使用者（歯科技工士）が右手６０の拇指（親指）６２と示指（人差し指）６４と中指６６との３本の指で歯科用スパチュラ４０を支持していて、へら４４ａを歯科用のブンゼンバーナ等で温めながらワックスを成形している状態を示している。
【０００６】
ところで、歯科用スパチュラに関する考案としては、実開平５−３９５１３号公報に開示の考案がある。当考案は、歯科用材料練合具に関する考案であって、練合皿と歯科用スパチュラとから構成され、歯科用スパチュラは、歯科用材料練合具の構成要素の一つとして位置付けられていて、歯科用スパチュラ自体の形状は、上述の従来例の歯科用スパチュラの形状と同一である。
【特許文献１】実開平５−３９５１３号公報
【考案の開示】
【考案が解決しようとする課題】
【０００７】
しかし、歯科用スパチュラは、前述のように拇指、示指および中指が当接するグリップ部分が２ｍｍ〜３ｍｍ程度の小径であることもあって、長時間作業をしていると指が疲れ、また、指先に力を入れる作業では、指先が痛くなることもある。
さらに、歯科用スパチュラは、その両端に形状の異なるへらを有しているが、歯科用スパチュラを使用するワックス成形作業の内容によっては、形状の異なるへらの組合せを変えたい場合も生ずる。しかし、歯科用スパチュラは一体に成形されていて、へらの組合せを自由に変えることはできない。
そして、歯科用スパチュラの携帯時においては、鋭い切先を有するへらで不用意に指等に傷つける場合もある。
また、実開平５−３９５１３号公報に開示の考案については、上述のように歯科用スパチュラの形状に関する記述はなく、上記の課題を解決するものではない。
【０００８】
そこで、本願考案は、長時間にわたるワックス成形作業をしていても指が疲れることなく、指先に力を入れるようなワックス成形作業であっても指先が痛くなることもなく、従来の歯科用スパチュラにも装着できる歯科用スパチュラハンドルを提供し、あわせて、歯科用スパチュラの携帯時において、不用意な扱いによる指先等の怪我を防止できる歯科用スパチュラハンドルを提供することを目的とする。
【課題を解決するための手段】
【０００９】
上記課題を解決するために、請求項１に係る歯科用スパチュラハンドルは、へらと該へらに連接する柄からなる第１のへら部の他端および第１のへら部と同様に構成される第２のへら部の他端との間に介在するスパチュラハンドルを太径としたことを特徴としている。
また、請求項２に係る歯科用スパチュラハンドルは、請求項１に係る歯科用スパチュラハンドルであって、前記スパチュラハンドルは中空円筒部と、前記中空円筒部の両端に着脱自在に挿着される第１の軸把持部および第２の軸把持部とからなり、
前記中空円筒部は、前記第１のへら部の他端および前記第２のへら部の他端を連結する中実軸部からなる歯科用スパチュラの前記中実軸部が挿通される挿通孔を有し、
前記第１の軸把持部および前記第２の軸把持部は、前記第１のへら部および前記第２のへら部の柄をそれぞれ把持することを特徴としている。
そして、請求項３に係る歯科用スパチュラハンドルは、前記請求項１または請求項２に係る歯科用スパチュラハンドルであって、前記第１の軸把持部および前記第２の軸把持部には挿着孔が形成され、前記中空円筒部の両端にはへら挿着部が形成され、前記第１の軸把持部および前記第２の軸把持部の挿着孔に前記中空円筒部のへら挿着部が挿着されることを特徴としている。
さらに、請求項４に係る歯科用スパチュラハンドルは、前記請求項１または請求項２に係る歯科用スパチュラハンドルであって、前記中空円筒部の両端の中空部には挿着孔が形成され、前記第１の軸把持部および前記第２の軸把持部にはへら挿着部が形成され、前記中空円筒部の挿着孔に前記第１の軸把持部および前記第２の軸把持部のへら挿着部が挿着されることを特徴としている。
また、請求項５に係る歯科用スパチュラハンドルは、前記請求項１に係る歯科用スパチュラハンドルであって、前記スパチュラハンドルは中空円筒部と中空円筒状のラバーグリップから構成され、前記中空円筒部は大径の中間部とその両端に形成された小径の第１の円筒先端部と小径の第２の円筒先端部からなり、前記中空円筒部の両端の中空部には挿着孔が形成され、前記第１の円筒先端部および前記第２の円筒先端部には前記第１の円筒先端部および前記第２の円筒先端部の外径と略同一径の内径を有する前記ラバーグリップが嵌装され、前記第１のへら部は同一軸上にへら、柄、鍔部およびへら挿着部の順に構成され、前記第２のへら部も前記第１のへら部と同様に構成され、前記中空円筒部の挿着孔に前記第１のへら部および前記第２のへら部のへら挿着部が挿着されて前記第１のへら部および前記第２のへら部の鍔部により前記ラバーグリップが前記第１の円筒先端部および前記第２の円筒先端部に固定されることを特徴としている。
そして、請求項６に係る歯科用スパチュラハンドルは、請求項１または請求項５に係る歯科用スパチュラハンドルであって、前記中空円筒部の両端の中空部に形成された挿着孔の奥に位置する前記中空円筒部の中空部は収納スペースとして形成され、  前記第１のへら部は同一軸上にへら、柄、第１のへら挿着部、鍔部および第２のへら挿着部の順に構成され、前記第２のへら部も前記第１のへら部と同様に構成され、歯科用スパチュラとして使用するときには、前記中空円筒部の挿着孔に前記第２のへら挿着部を挿着し、歯科用スパチュラとして使用しないときには、前記収納スペースに前記第１のへら部のへらと柄および／または第２のへら部のへらと柄を収納して前記中空円筒部の挿着孔に前記第１のへら挿着部を挿着することを特徴としている。
さらに、請求項７に係る歯科用スパチュラハンドルは、請求項１に係る歯科用スパチュラハンドルであって、前記スパチュラハンドルは中空円筒部と中空円筒状のラバーグリップと中心部に挿着孔を有するへら保持部とからなり、前記中空円筒部は大径の中間部とその両端に形成された小径の第１の円筒先端部と小径の第２の円筒先端部からなっていて、前記第１の円筒先端部および前記第２の円筒先端部には前記第１の円筒先端部および前記第２の円筒先端部の外径と略同一径の内径を有する前記ラバーグリップが嵌装され、前記中空円筒部の両端には前記へら保持部が前記挿着孔を外側に向けて嵌着され、前記第１のへら部および前記第２のへら部は前記第１のへら部および前記第２のへら部を構成する柄の他端に形成されたへら挿着部により前記へら保持部の挿着孔に着脱自在に挿着され、前記中空円筒部の中空部は前記挿着孔に連通して収納スペースとして形成され、前記中空円筒部と前記へら保持部とが着脱自在に挿着し、または前記中空円筒部自体が二分割されて着脱自在に挿着し、前記収納スペースに前記第１のへら部および／または前記第２のへら部、あるいは他のスペア用のへら部が収納されることを特徴としている。
【考案の効果】
【００１０】
本願請求項１に係る考案は、歯科用スパチュラのグリップ部を太径としているため、拇指、示指および中指の３本の指が当接するグリップ部分が大径となり、３本の指の接触面積を大幅に拡大させることにより、歯科用スパチュラを支持する拇指、示指および中指の負荷を大幅に軽減してワックス成形作業における疲労を低減させることができる。また、ワックス成形作業上、拇指、示指および中指、特に示指の指先に力を加えるような場合であっても、指先が痛くなることがない。
さらに、本願請求項２に係る考案は、前記本願請求項１に係る考案の効果に加え、中空円筒部が、歯科用スパチュラの中実軸部を被包する構成となっているため、従来の歯科用スパチュラに対しても使用できる。
【００１１】
また、本願請求項３に係る考案では、中実軸部に向けて徐々に径が太くなるいわゆるテーパー状となった柄を、第１の軸把持部および第２の軸把持部が中空円筒部の両端から把持しているため、歯科用スパチュラは歯科用スパチュラハンドルにしっかりと固定される。さらに、中空円筒部の両端に、へらを着脱自在に挿着しているため、作業内容に応じて形状の異なるへらを任意に組み合わせて使うことができる。
【００１２】
そして、本願請求項４に係る考案では、中空円筒部の両端の中空部には挿着孔が形成されていることから、前記本願請求項３に係る考案よりも、挿通孔の径を大きくすることができ、幅の広いへらであっても挿通孔を挿通させることができる。
【００１３】
さらに、本願請求項５に係る考案では、ラバーグリップの内径と円筒先端部の外径は略同一径となっているため、円筒先端部に簡単にラバーグリップを装着できる。また、中空円筒部の端部近傍は指先当接部であり、この指先当接部にはラバーグリップが被嵌されているため、当該ラバーグリップに拇指、示指および中指の３本の指による押圧力が作用したときに、容易に変形して３本の指の接触面積をさらに大幅に拡大させる。なお、このラバーグリップに使用される弾性材は、シリコン系やウレタン系等の弾性材が適している。
【００１４】
また、本願請求項６に係る考案では、挿着孔の奥に形成された収納スペースに、へら部のへらおよび柄を収納することができるため、不使用時に歯科用スパチュラを携帯するような場合であっても、先の尖ったへら部で携帯者が怪我をすることがない。
さらに、本願請求項７に係る考案では、へら部全部を収納スペースに収納できるため、へら部を収納した状態にあっては、前記本願請求項６に係る考案と異なり、歯科用スパチュラハンドルから突出する部分（請求項６における「第２のへら挿着部」）がない。
【００１５】
なお、本願請求項３ないし本願請求項7に係る考案の「挿着孔にへら挿着部を挿着させる手段」としては、挿着孔の内径とへら挿着部の外径とを同一径として嵌合する手段、あるいは、挿着孔に雌螺子を螺刻しへら挿着部を雄螺子として螺合する手段がある。
また、本願請求項５ないし本願請求項７に係る考案にあっては、本考案を歯科用スパチュラのスパチュラハンドルとして使用するばかりでなく、築成用筆、レジン形成用充填器等のハンドルとしても使用することができる。
【考案を実施するための最良の形態】
【００１６】
つぎに、本考案を実施するための最良の形態に係る実施例１について、図１および図２に基づいて説明する。
図１は、本実施例に係る歯科用スパチュラハンドルを歯科技工士が使用している図、図２（Ａ）は、本実施例に係る歯科用スパチュラハンドルの部分構成図、図２（Ｂ）は、本実施例に係る歯科用スパチュラハンドルの部分断面図である。なお、図1および図２において、従来例の歯科用スパチュラとして説明した図９と同一の要素については、同一の符号を付して、重複する説明を省略する。
【００１７】
図１および図２において、符号１２は実施例１に係る歯科用スパチュラハンドル、符号２０は中空円筒部、符号２６は挿通孔、符号２８は挿着部、符号３２ａは第１の軸把持部、符号３２ｂは第２の軸把持部、符号３４は軸貫通孔、符号４０は歯科用スパチュラ、符号４２ａは第１のへら部、符号４２ｂは第２のへら部、符号４４ａおよび４４ｂはへら、符号４６ａおよび４６ｂは柄、符号５６は中実軸部である。
【００１８】
歯科用スパチュラハンドル１２は、中空円筒部２０と第１の軸把持部３２ａおよび第２の軸把持部３２ｂとから構成されていて、全体として全長が略９０ｍｍで径が略１４ｍｍであり、歯科用スパチュラハンドル１２自体は中心部に向けて径が徐々に大きくなっていて、中心部が膨らんだエンタシス状となっている。
また、中空円筒部２０は中空の円筒状となっていて、挿通孔２６が貫設され、中空円筒部２０の両端には雄螺子が螺刻された挿着部２８、２８が形成されている。そして、第１の軸把持部３２ａは、前部が円錐台状であり、後部は筒状となっていて、後部の筒状の内周面には雌螺子が螺刻され、前記の挿着部２８に螺合するようになっている。また、第１の軸把持部３２ａには、第１の軸把持部３２ａを軸方向に貫通する軸貫通孔３４が貫設されている。
【００１９】
歯科用スパチュラ４０は、前述のように、へら４４ａとへら４４ａに一端が連接される丸棒状の柄４６ａとからなる第１のへら部４２ａと、へら４４ｂとへら４４ｂにその一端が連接される丸棒状の柄４６ｂとからなる第２のへら部４２ｂと、柄４６ａと柄４６ｂとを連接する中実軸部５６とから構成されている。
【００２０】
そして、中空円筒部２０に貫設された挿通孔２６に歯科用スパチュラ４０を挿通させた後、歯科用スパチュラ４０の両端から、第１の軸把持部３４ａおよび第２の軸把持部３４ｂの後部の筒部を中空円筒部２０に対向させて被嵌させ、挿着部２８に螺着させる。このようにして本実施例に係る歯科用スパチュラハンドル１２が組み立てられ、組み立てられた状態では、第１の軸把持部３２ａの筒状の後部の外周面と中空円筒部２０の外周面は段差がなく滑らかに形成されるようになっている。
【００２１】
また、第１のへら部４２ａの柄４６ａおよび第２のへら部４２ｂの柄４６ｂは、前述のように中実軸部５６に向けて径が徐々に大きくなるいわゆるテーパーがついていて、第１の軸把持部３２ａの軸貫通孔３４および第２の軸把持部３２ｂの軸貫通孔３４もそれに対応した形状となっているため、中空円筒部２０の両端に第１の軸把持部３２ａおよび第２の軸把持部３２ｂを螺着させた後では、歯科用スパチュラ４０が歯科用スパチュラハンドル１２にしっかりと固定される。なお、中空円筒部２０の挿通孔２６の径は、構成上の制約、すなわち、中空円筒部２０を第１の軸把持部３２ａおよび第２の軸把持部３２ｂに挿着させる構成により、歯科用スパチュラ４０の中実軸部５６もやや大きい程度となっている。
なお、本実施例においては、ラバーグリップを構成要素としていないが、中空円筒部２０にラバーグリップを嵌装させてもよい。
【００２２】
つぎに、本考案を実施するための最良の形態に係る実施例２について、図３に基づいて説明する。
図３（Ａ）は、本実施例に係る歯科用スパチュラハンドルの部分構成図、図３（Ｂ）は、本実施例に係る歯科用スパチュラハンドルの部分断面図である。なお、図３においては、図１、図２および図８と同一の要素については、同一の符号を付して、重複する説明を省略する。
また、実施例２については、歯科用スパチュラハンドルの全体図を省略している。これは、実施例２は全体としての構成要素が実施例１とほぼ同様であって、外観は実施例１と共通する面が多いためである。そのため、実施例２については、実施例１と異なる構成要素を主として説明する。
【００２３】
図２において、符号１４は実施例２に係る歯科用スパチュラハンドル、符号２０は中空円筒部、符号２６は挿通孔、符号３２ａは第１の軸把持部、符号３４は軸貫通孔、符号３６は切れ込み部、符号３８はスリット、符号４０は歯科用スパチュラ、符号４２ａは第１のへら部、符号４４ａはへら、符号４６ａは柄、符号５６は中実軸部である。
【００２４】
歯科用スパチュラハンドル１４は、実施例１と同様に、中空円筒部２０と第１の軸把持部３２ａと図示外の第２の軸把持部から構成され、中空円筒部２０は中空の円筒状となっていて、挿通孔２６が貫設され、挿通孔２６の両端近傍の中空部の内周面には雌螺子が螺刻されている。なお、本実施例における挿通孔２６は、実施例１における挿通孔２６よりも大径に形成されている。
第１の軸把持部３２ａは、前部が円錐台状であり、後部は筒状となっていて、筒状の外周面には雄螺子が螺刻され、前記の挿通孔２６の内周面に螺刻された雌螺子に螺合するようになっている。そして、第１の軸把持部３２ａには、第１の軸把持部３２ａを軸方向に貫通する軸貫通孔３４が貫設され、筒状部分には複数個のスリット３９が筒状の外周面と軸貫通孔３４を貫通して設けられ、第１の軸把持部３２ａの外周面から軸貫通孔３４へ向けて第１の軸把持部３２ａを切断するように切れ込み部３６が貫設されている。
【００２５】
本実施例においては、歯科用スパチュラ４０のへら４４ａが幅の広いへら状となっていて、実施例１の挿通孔２６にへら４４ａを挿通させることはできないが、本実施例の挿通孔２６に挿通させることは可能である。なお、へら４４ａを本実施例の挿通孔２６に挿通させることができないほどへら４４ａの幅が広い場合には、図示外の第２のへら部を先に挿通孔２６に挿通させればよい。
【００２６】
へら４４ａを挿通孔２６に挿通させた後、第１のへら部４２ａの柄４６ａに、第１の軸把持部３２ａの切れ込み部３６を押し広げるようにして第１の軸把持部３２ａを嵌め込む。そして、中空円筒部２０に対して第１の軸把持部３２ａを右回りに捻ると、第１の軸把持部３２ａが中空円筒部２０に螺入する。雌螺子が螺刻されている挿通孔２６の先端近傍は、奥に行くに従って径が小さくなるようなすり鉢状に形成されていて、第１の軸把持部３２ａを中空円筒部２０に螺入するに従い、螺入された第１の軸把持部３２ａの先端は、スリット３８のスリット幅が狭まって歯科用スパチュラ４０の中実軸部５６を押圧する。この押圧力により歯科用スパチュラ４０は歯科用スパチュラハンドル１４に固定される。
なお、図示外の第２の軸把持部については、第１の軸把持部３２ａと同様の構成であり、その作用および効果も第１の軸把持部３２ａと同様であるため、その説明を省略する。
【００２７】
実施例１においては、中空円筒部２０の挿通孔２６の径が、歯科用スパチュラ４０の中実軸部５６もやや大きい程度となっていて、それよりもさらに大きいへら部を有する歯科用スパチュラ４０には不適であるが、実施例２はそのような幅の広いへら部を有する歯科用スパチュラ４０にも適用することができる。
また、本実施例においても、実施例１と同様にラバーグリップを構成要素としていないが、中空円筒部２０にラバーグリップを嵌装させてもよい。
【００２８】
つぎに、本考案を実施するための最良の形態に係る実施例３について、図４、図５および図６に基づいて説明する。
図４は、本実施例に係る歯科用スパチュラハンドルを歯科技工士が使用している図、図５は、本実施例に係る歯科用スパチュラハンドルの構成図、図６は、本実施例のもう一つの実施例に係る歯科用スパチュラハンドルの構成図である。なお、図４、図５および図６において、図１ないし図３および図８と同一の要素については、同一の符号を付して、重複する説明を省略する。
【００２９】
図４および図５において、符号１６は実施例３に係る歯科用スパチュラハンドル、符号２０は中空円筒部、符号２１は円筒中間部、符号２２ａは第１の円筒先端部、符号２２ｂは第２の円筒先端部、符号２４はラバーグリップ、符号３０は挿着孔、符号４２ａは第１のへら部、符号４２ｂは第２のへら部、符号４４ａおよび４４ｂはへら、符号４６ａおよび４６ｂは柄、符号４８ａおよび４８ｂは鍔部、符号５０ａおよび５０ｂはへら挿着部、符号６０は歯科技工士の右手、符号６２は拇指、符号６４は示指、符号６６は中指である。
【００３０】
歯科用スパチュラハンドル１６は、中空円筒部２０と中空円筒状に形成されたラバーグリップ２４、２４から構成されている。そして、中空円筒部２０は大径の円筒中間部２１とその両端に接続される小径の第１の円筒先端部２２ａおよび第２の円筒先端部２２ｂから構成されていて、円筒中間部２１と第１の円筒先端部２２ａおよび第２の円筒先端部２２ｂの径差によって、円筒中間部２１と第１の円筒先端部２２ａおよび第２の円筒先端部２２ｂの接続部には段部が形成され、この段部の高さは中空円筒状に形成されたラバーグリップ２４のラバー厚さと同一になっている。
さらに、第１の円筒先端部２２ａおよび第２の円筒先端部２２ｂの外径とラバーグリップ２４の内径は同一に形成されていて、第１の円筒先端部２２ａおよび第２の円筒先端部２２ｂの長さはラバーグリップ２４の長さと同一である。したがって、ラバーグリップ２４を第１の円筒先端部２２ａおよび第２の円筒先端部２２ｂに嵌挿させ、ラバーグリップ２４の端部を前記の段部に当接させると、ラバーグリップ２４の他端は第１の円筒先端部２２ａおよび第２の円筒先端部２２ｂの先端と面一になり、ラバーグリップ２４の外周面と円筒中間部２１の外周面には段差がない状態となる。
【００３１】
そして、中空円筒部２０全体の寸法、形状は実施例１と同様に形成され、全長が略９０ｍｍで径が略１４ｍｍであり、中心部に向けて径が徐々に大きくなるエンタシス状となっている。また、中空円筒部２０の両端、すなわち、第１の円筒先端部２２ａおよび第２の円筒先端部２２ｂの開放端には、挿着孔３０が貫設されている。
【００３２】
本考案に係る歯科用スパチュラハンドル１６では、歯科用スパチュラハンドルに挿着されるへら部の形状が重要な要素となるため、へら部の形状についても詳細に説明する。
【００３３】
第１のへら部４２ａは、へら４４ａと柄４６ａとへら挿着部５０ａと鍔部４８ａとから構成されている。そして、へら４４ａ、柄４６ａ、鍔部４８ａおよびへら挿着部５０ａは同一軸線上にあって、柄４６ａの一端にへら４４ａが連接され、柄４６ａの他端には鍔部４８ａを介してへら挿着部５０ａが連接されている。
また、柄４６ａは、へら４４ａ側から鍔部４８ａへ向けて、柄４６ａの径が徐々に大きくなるように形成されていて、いわゆるテーパーがついた状態となっているが、本実施例においては、同一径としてもその効果には何ら変わることはない。
【００３４】
へら挿着部５０ａの外径は挿着孔３０の内径と同一であり、へら挿着部５０ａは挿着孔３０に密着して嵌合される。鍔部４８ａはその頂部をへら４４ａに向けた円錐状を呈していて、円錐の底面の径は歯科用スパチュラハンドル１６の先端の径と同一に形成されているため、へら挿着部５０ａが挿着孔３０に嵌着されたときには、歯科用スパチュラハンドル１６の外周面と鍔部４８ａの外周縁は段差がない状態となっている。
したがって、鍔部４８ａの底面部は、へら挿着部５０ａが挿着孔３０に嵌合される際の嵌合深さを確保するとともに、ラバーグリップ２４が中空円筒部２０から抜け出すことを防止する役割を担っている。
【００３５】
第２のへら部４２ｂも第１のへら部４２ａと同様に形成されていて、上述の説明は、第２のへら部４２ｂに対しても異なることがないため、第２のへら部４２ｂについての説明は省略する。なお、図５においては、へら４４ａはナイフ状であり、へら４４ａは鏝状である。
【００３６】
上記の構成により、実施例３に係る歯科用スパチュラハンドル１６は以下の作用および効果を奏することになる。
すなわち、右手６０の拇指６２、示指６４および中指６６の３本の指が当接するグリップ部分の径を大径の略１２ｍｍとしているため、５ｍｍ〜６ｍｍとなっている従来の歯科用スパチュラ４０の軸部よりも大径であり、さらに、グリップ部分にラバーグリップ２４を嵌合させていることから、拇指６２、示指６４および中指６６の３本の指の接触面積を大幅に拡大させている。
また、歯科用スパチュラハンドル１６の両端には、へらが連接されている第１のへら部４２ａおよび第２のへら部４２ｂを着脱自在に挿着することができるため、へらの形状を歯科用スパチュラの使用者が所望する任意の組合せとすることができる。
【００３７】
本実施例では、挿着孔３０に対してへら挿着部５０ａおよび５０ｂを嵌着するとして説明したが、図６に示すように、本実施例においては、へら挿着部５０ａおよび５０ｂに雄螺子を螺刻し、挿着孔３０の内周面に雌螺子を螺刻し、へら挿着部５０ａおよび５０ｂと挿着孔３０を螺着することもできる。へら挿着部５０ａおよび５０ｂと挿着孔３０を螺着した場合には、歯科用スパチュラハンドル１６はより一層確実に、第１のへら部４２ａおよび第２のへら部４２ｂと接合されることになるが、接合に際しては、「捻じる」という動作が必要となる。
【００３８】
つぎに、本考案を実施するための最良の形態に係る実施例４について、図７に基づいて説明する。
図７は、本実施例に係る歯科用スパチュラハンドルの構成図である。図７に示すように、本実施例に係る歯科用スパチュラハンドルの構成は、図６に示す実施例３に係る歯科用スパチュラハンドルの構成と略同一である。そのため、実施例４については、主として図６に示す実施例３と異なる構成要素について説明する。なお、図７においては、図１ないし図６および図８と同一の要素については、同一の符号を付して、重複する説明を省略する。
【００３９】
図７において、符号１８は実施例４に係る歯科用スパチュラハンドル、符号２０は中空円筒部、符号２１は、円筒中間部、符号２２ａは第１の円筒先端部、符号２２ｂは第２の円筒先端部、符号２４はラバーグリップ、符号３０は挿着孔、符号４２ａは第１のへら部、符号４２ｂは第２のへら部、符号４４ａおよび４４ｂはへら、符号４６ａおよび４６ｂは柄、符号４８ａおよび４８ｂは鍔部、符号５２ａおよび５２ｂは第２のへら挿着部、符号５４ａおよび５４ｂは第１のへら挿着部である。
【００４０】
本実施例に係る歯科用スパチュラハンドル１８と図５に示す実施例３に係る歯科用スパチュラハンドル１６の相違する構成要素は、図７には示されていないが、挿着孔３０の奥には挿着孔３０と略同径の収納スペース（図示外）が設けられている点にある。
したがって、第１のへら部４２ａおよび第２のへら部４２ｂもその相違点に対応した構成となっている。すなわち、実施例３に係る第１のへら部４２ａは、へら４４ａと柄４６ａと鍔部４８ａと第１のへら挿着部５２ａに相当するへら挿着部５０ａとから構成されているのに対し、本実施例に係る第１のへら部４２ａは、へら４４ａと柄４６ａと第２のへら挿着部５４ａと鍔部４８ａと第１のへら挿着部５２ａとから構成されている。
この第１のへら挿着部５２ａおよび第２のへら挿着部５４ａは同一径の雄螺子であり、ともに中空円筒部２０の挿着孔３０の内周面に螺刻された雌螺子に螺合するようになっている。また、鍔部４８ａは円盤状であり、第１のへら挿着部５２ａと第２のへら挿着部５４ａとの間に介装された状態となっている。
なお、第２のへら部４２ｂの構成も上述の第１のへら部４２ａの構成と同様であるのでその説明を省略する。
【００４１】
上記構成により、歯科用スパチュラハンドル１８は、使用時においては、中空円筒部２０の挿着孔３０に第１のへら部４２ａの第１のへら挿着部５２ａおよび第２のへら部４２ｂの第１のへら挿着部５２ａを螺合して歯科用スパチュラとして使用し、不使用時においては、中空円筒部２０の挿着孔３０にへら４４ａおよび柄４６ａを挿入して、第２のへら挿着部５４ａを挿着孔３０に螺合することにより、第１のへら部４２ａが図示外の収納スペースに収納され、第２のへら部４２ｂも同様に図示外の収納スペースに収納される。このように収納することにより、切先の鋭いへらによる怪我を防ぐことができる。
【００４２】
つぎに、本考案を実施するための最良の形態に係る実施例５について、図８に基づいて説明する。
図８は、本実施例に係る歯科用スパチュラハンドルの構成図である。本実施例に係る歯科用スパチュラハンドルの構成は、図７に示す実施例４に係る歯科用スパチュラハンドルの構成と概ね同一である。そのため、本実施例については、主として図７に示す実施例４と異なる構成要素について説明する。なお、図８においては、図１ないし図７および図９と同一の要素については、同一の符号を付して、重複する説明を省略する。
【００４３】
図８において、符号１９は実施例４に係る歯科用スパチュラハンドル、符号２０は中空円筒部、符号２１は円筒中間部、符号２２aは第１の円筒先端部、符号２２ｂは第２の円筒先端部、符号２４はラバーグリップ、符号２７は収納スペース、符号３０は挿着孔、符号３３はへら保持部、符号３５はへら挿着孔、符号３７は鍔部、符号３９は挿着部、符号４２ａは第１のへら部、符号４２ｂは第２のへら部、符号４４ａおよび４４ｂはへら、符号４６ａおよび４６ｂは柄、符号５５ａおよび５５ｂはへら挿着部である。
【００４４】
本実施例に係る歯科用スパチュラハンドル１９は、中空円筒部２０とラバーグリップ２４、２４とへら保持部３３、３３とからなり、図６に示す実施例３における歯科用スパチュラハンドル１６、および図７に示す実施例４における歯科用スパチュラハンドル１８と同一の構成要素にへら保持部３３、３３が付加されたものとなっている。すなわち、歯科用スパチュラハンドル１９は、歯科用スパチュラハンドル１６または歯科用スパチュラハンドル１８の両端の挿着孔３０に、へら保持部３３、３３の挿着部３９を挿着したものとなっていて、本実施例においては、中空円筒部２０とへら保持部３３は相互に着脱自在に螺着されている。
【００４５】
へら保持部３３は、独楽を横にしたような形状であって、前部が円錐台状で後部は棒状となっていて、棒状の後部は雄螺子が螺刻された挿着部３９となっている。また、円錐台状の前部の中心部には前端から後端に向けてへら挿着孔３５が形成されて、その内部には雌螺子が螺刻されている。さらに、円錐台状となった前部の独楽の表面に相当する部分は、鍔部３７となっていて、中空円筒部２０とへら保持部３３が螺着されると、ラバーグリップ２４，２４を中空円筒部２０の第１の円筒先端部２２aおよび第２の円筒先端部２２ｂに固定させることになる。
【００４６】
第１のへら部４２ａは、へら４４ａと、へら４４ａに連接する柄４６ａと、柄４６ａの他端に雄螺子が螺刻されたへら挿着部５５ａから構成され、第２のへら部４２ｂも同様に構成されている。そして、へら挿着部５５ａおよびへら挿着部５５ｂとへら保持部３３の挿着孔３０とは互いに螺着するようになっている。また、へら保持部３３の挿着孔３０と中空円筒部２０内に形成された収納スペース２７は、互いに連通しているが、へら保持部３３のへら挿着孔３５は有底であって、収納スペース２７とは連通していない。
【００４７】
したがって、本実施例においては、中空円筒部２０は円筒状の容器に相当し、へら保持部３３はその容器の蓋に相当することになる。上記の構成により、歯科用スパチュラハンドル１９は、使用時においては、歯科用スパチュラハンドル１９の先端に第１のへら部４２ａおよび／または第２のへら部４２ｂを螺着し、不使用時においては、歯科用スパチュラハンドル１９内に第１のへら部４２ａ、第２のへら部４２ｂ、さらには、スペア用のへら部を収納することができる一方、使用時であっても、差し迫って使用しないへら部を収納しておくことができる。
【００４８】
また、本実施例では、中空円筒部２０に対してへら保持部３３、３３を着脱自在としているが、一方のへら保持部３３を中空円筒部２０に対して着脱自在とし、他方のへら保持部３３を固着してもよい。さらに、両方のへら保持部３３、３３を中空円筒部２０に固着し、中空円筒部２０の中間域において中空円筒部２０を二分割し、二分割した中空円筒部２０の互いに対抗する一方の端部に雄螺子を螺刻し、他方の端部に雌螺子を螺刻して互いに着脱自在に螺合することにより、収納スペース２７にへら部を収納可能とすることもできる。このようにすれば、収納スペース２７に収納した作業に必要とするへら部をすばやく取り出すことができる。
【図面の簡単な説明】
【００４９】
【図１】図１は、実施例１に係る歯科用スパチュラハンドルを歯科技工士が使用している図である。
【図２】図２（Ａ）は、実施例１に係る歯科用スパチュラハンドルの部分構成図、図２（Ｂ）は、実施例１に係る歯科用スパチュラハンドルの部分断面図である。
【図３】図３（Ａ）は、実施例２に係る歯科用スパチュラハンドルの部分構成図、図３（Ｂ）は、実施例２に係る歯科用スパチュラハンドルの部分断面図である。
【図４】図４は、実施例３に係る歯科用スパチュラハンドルを歯科技工士が使用している図である。
【図５】図５は、実施例３に係る歯科用スパチュラハンドルの構成図である。
【図６】図６は、実施例３のもう一つの実施例に係る歯科用スパチュラハンドルの構成図である。
【図７】図７は、実施例４に係る歯科用スパチュラハンドルの構成図である。
【図８】図８は、実施例５に係る歯科用スパチュラハンドルの構成図である。
【図９】図９は、従来例の歯科用スパチュラを歯科技工士が使用している図である。
【符号の説明】
【００５０】
１２  実施例１に係る歯科用スパチュラハンドル
１４  実施例２に係る歯科用スパチュラハンドル
１６  実施例３に係る歯科用スパチュラハンドル
１８  実施例４に係る歯科用スパチュラハンドル
１９  実施例５に係る歯科用スパチュラハンドル
２０  中空円筒部
２１  中間円筒部
２２ａ  第１の円筒先端部
２２ｂ  第２の円筒先端部
２４  ラバーグリップ
２６  挿通孔
２７  収納スペース
２８  挿着部
３０  挿着孔
３２ａ  第１の軸把持部
３２ｂ  第２の軸把持部
３３  へら保持部
３４  軸貫通孔
４０  従来例に係る歯科用スパチュラ
４２ａ  第１のへら部
４２ｂ  第２のへら部
５６  中実軸部
６０  歯科技工士の右手
【図１】
0003110845.tif 000003
【図２】
0003110845.tif 000004
【図３】
0003110845.tif 000005
【図４】
0003110845.tif 000006
【図５】
0003110845.tif 000007
【図６】
0003110845.tif 000008
【図７】
0003110845.tif 000009
【図８】
0003110845.tif 000010
【図９】
0003110845.tif 000011